(57)【要約】【課題】側溝の流下機能を損なわず簡便に設けうる、側溝内からの小動物脱出を補助するための装置を提供する。【解決手段】側溝内からの小動物脱出を補助するための、側溝内に設置される這い上がり装置であって、小動物が移動可能な上面部と、前記上面部を所定の高さに支える上面部支持体と、前記側溝の長手方向に対向する側面部とを備え、前記側面部は、その少なくとも一面が傾斜し小動物が側溝内腔部から前記上面部へと昇降移動可能であり、且つ前記側面部は側溝を流れる流体が通過する通過孔を有することを特徴とする這い上がり装置。【選択図】        図５
2005256363.tif 000002
【特許請求の範囲】
【請求項１】
側溝内からの小動物脱出を補助するための、側溝内に設置される這い上がり装置であって：
小動物が移動可能な上面部と、
前記上面部を所定の高さに支える上面部支持体と、
前記側溝の長手方向に対向する側面部とを備え、
前記側面部は、その少なくとも一面が傾斜し小動物が側溝内腔部から前記上面部へと昇降移動可能であり、且つ前記側面部は側溝を流れる流体が通過する通過孔を有することを特徴とする這い上がり装置。
【請求項２】
前記側面部の一部又は全面に網状構造を備えることを特徴とする、請求項１に記載の這い上がり装置。
【請求項３】
前記所定の高さが、前記側溝内に前記装置を配置した際に前記上面部が前記側溝上部近辺に位置する高さであることを特徴とする請求項１又は２に記載の這い上がり装置。
【請求項４】
前記側面部の形状及び寸法が、前記側溝内に配置した際に、前記側溝を流れる流体の一部のみが前記側面部を通過する形状及び寸法であることを特徴とする請求項１〜３のいずれか１項に記載の這い上がり装置。
【請求項５】
前記側面部を揺動可能に備えることを特徴とする請求項１〜４のいずれか１項に記載の這い上がり装置。
【請求項６】
前記側面部の下方に、さらに下部スロープを有することを特徴とする請求項１〜５のいずれか１項に記載の這い上がり装置。
【請求項７】
前記上面部と平行な方向に延長するステップであって、一方の端部が前記側面部の下部に隣接し、他方の端部が前記下部スロープの上部に隣接するステップをさらに備えることを特徴とする請求項６に記載の這い上がり装置。
【発明の詳細な説明】
【技術分野】
【０００１】
本発明は、側溝中に設置する装置に関し、特に、側溝中に落下した小動物が脱出することを補助する手段を備えた装置に関するものである。
【背景技術】
【０００２】
道路、宅地、農地、山林などにおいて、排水路又は用水路等の流れを導くための構造として、U型側溝等の側溝を設置することが従来より行われている。
【０００３】
この側溝中に、付近に生息するヘビ、カエル、カメ、トカゲ、サンショウウオ、沢蟹、ネズミ、リス、犬、猫、猿、タヌキ、キツネ、ウサギ、昆虫等の小動物（特に、吸盤を持たないヒキガエル等のカエル類やサンショウウオ、各種昆虫類等地上徘徊性の小動物）が落下した場合、自力で脱出することができず死に至り、それにより屍骸が側溝の流下機能を損ない且つ生態系へ悪影響を与えるという問題がある。
【０００４】
このような問題を解決するため、側溝に落下した小動物が自力で脱出できるようにする構造を設けた側溝ブロックが提案されている。具体的には、U字側溝ブロックの外側にスロープを設けること（特許文献１及び５）、及び側溝ブロックの溝内部にスロープを設けること（特許文献２〜４）が提案されている。
【０００５】
【特許文献１】特開平９−７１９９４号公報
【特許文献２】特開２００３−１６０９６８号公報
【特許文献３】特開平１０−３３８９６２号公報
【特許文献４】特開平１０−１３１２７２号公報
【特許文献５】特開平９−３２０９７号公報
【発明の開示】
【発明が解決しようとする課題】
【０００６】
しかしながら、側溝の外側にスロープを設けるためにはそのための余分なスペースが必要となるという問題点がある。また特に、既設の側溝に追加的にこのようなスロープを設置することは困難である。
【０００７】
一方、側溝ブロックの溝内部にスロープを設けると、側溝中の水流を阻害し、その本来の機能である、水等の流体の流下機能を大きく損なうという問題点がある。
【０００８】
本発明は、上記に鑑みてなされたものであって、本発明の目的は、側溝の流下機能を損なわず簡便に設けうる、側溝内からの小動物脱出を補助するための装置を提供することにある。
【課題を解決するための手段】
【０００９】
上記の目的を達成するため、本発明の請求項１にかかる這い上がり装置は、側溝内からの小動物脱出を補助するための、側溝内に設置される這い上がり装置であって、小動物が移動可能な上面部と、前記上面部を所定の高さに支える上面部支持体と、前記側溝の長手方向に対向する側面部とを備え、前記側面部は、その少なくとも一面が傾斜し小動物が側溝内腔部から前記上面部へと昇降移動可能であり、且つ前記側面部は側溝を流れる流体が通過する通過孔を有することを特徴とする。
【００１０】
本発明の請求項２にかかる這い上がり装置は、上記請求項１において、前記側面部の一部又は全面に網状構造を備えることを特徴とする。
【００１１】
本発明の請求項３にかかる這い上がり装置は、上記請求項１又は２において、前記所定の高さが、前記側溝内に前記装置を配置した際に前記上面部が前記側溝上部近辺に位置する高さであることを特徴とする。
【００１２】
本発明の請求項４にかかる這い上がり装置は、上記請求項１〜３のいずれか１項において、前記側面部の形状及び寸法が、前記側溝内に配置した際に、前記側溝を流れる流体の一部のみが前記側面部を通過する形状及び寸法であることを特徴とする。
【００１３】
本発明の請求項５にかかる這い上がり装置は、上記請求項１〜４のいずれか１項において、前記側面部を揺動可能に備えることを特徴とする。
【００１４】
本発明の請求項６にかかる這い上がり装置は、上記請求項１〜５のいずれか１項において、前記側面部の下方に、さらに下部スロープを有することを特徴とする。
【００１５】
本発明の請求項７にかかる這い上がり装置は、上記請求項６において、前記上面部と平行な方向に延長するステップであって、一方の端部が前記側面部の下部に隣接し、他方の端部が前記下部スロープの上部に隣接するステップをさらに備えることを特徴とする。
【発明の効果】
【００１６】
請求項１にかかる這い上がり装置は、側溝の流下機能を損なわずに簡便に設置でき、且つ有効に小動物脱出を補助することができる。
【００１７】
請求項２にかかる這い上がり装置によれば、小動物が側面部を登坂することがより容易となり、小動物脱出をさらに有効に補助することができる上に、側溝を流れる流体の流下機能の低減をさらに抑制することができる。
【００１８】
請求項３にかかる這い上がり装置によれば、小動物が上面部から側溝外へ脱出することがさらに容易となり、小動物脱出をさらに有効に補助することができる。
【００１９】
請求項４にかかる這い上がり装置によれば、側面部を通過しない開放された流路を設けることができ、側面部上へのゴミ等の固形物の蓄積を低減し、側溝の流下機能の低減をさらに抑制することができる。
【００２０】
請求項５にかかる這い上がり装置によれば、側面部上に蓄積したゴミ等の固形物が側面部の揺動により外れやすくなり、側溝の流下機能の低減をさらに抑制することができる。
【００２１】
請求項６にかかる這い上がり装置によれば、側溝内の流れの流量に応じて、流れが多い場合でも少ない場合でも小動物の脱出を有効に補助し且つ側溝の流下機能の低減を抑制することができる。
【００２２】
請求項７にかかる這い上がり装置によれば、脱出する小動物が登坂の途中で乗る場所を確保することができ、且つ側溝内の流れの流量に応じた小動物の脱出をより有効に補助することができる。
【発明を実施するための最良の形態】
【００２３】
以下に、本発明にかかる這い上がり装置の実施例を図面に基づいて詳細に説明する。なお、この実施例によりこの発明が限定されるものではない。
【実施例１】
【００２４】
図１は、本発明にかかる這い上がり装置の第１の実施例を示す斜視図である。図１の這い上がり装置100は、主に枠体101〜103により構成される支持体と、枠体101〜103により所定の高さに支えられ、装置上面部を形成する頂板105と、装置側面部を構成する上流側網スロープ121及び下流側網スロープ141とを備える。
【００２５】
枠体101〜103は、側溝内腔に設置するのに適合した形状及び寸法を有することができる。具体的には例えば、その長手方向が側溝内の流れの方向Dと一致し、枠体底部101が側溝の内底部と接するように、側溝内腔に設置するのに適合した形状及び寸法とすることができる。このような形状とすることにより、側溝内での流れを受けても装置が移動しにくく、且つ移動しても流れに対する網スロープの好ましい方向を維持することができる。より具体的には例えば、図２に示す側溝280のように、内側の断面が矩形である側溝の場合、それに適合した矩形の枠体101〜103とすることができる。
【００２６】
側溝内腔への、本発明の這い上がり装置の設置の態様は、側溝内腔に単に載置する；釘、杭又はこれに類する係留具を介して係留する；又は側溝と一体のものとして形成する等の態様とすることができる。特に、既設の側溝に対して設ける場合、側溝内腔に単に載置する態様又は係留具を介して係留する態様が好ましい。本発明の這い上がり装置は、これらの態様の設置に適した構造を適宜備えることができる。
【００２７】
本実施例において支持体を構成する枠体は、枠体底部101a〜d、枠体支柱部102a〜d及び枠体頂部103a〜dにより構成される。枠体の材質は、特に限定されないが、使用に耐えうる強度、側溝内で流れに対して移動しにくい比重、及び加工の容易さを有するという点から、鋼等の金属が好ましい。具体的には例えば、鉄筋コンクリート製造において用いられる鋼製の鉄筋等を適宜用いることができる。
【００２８】
本発明の装置の側面部は、側溝を流れる流体が通過する通過孔を有し、好ましくはその一部又は全面に網状構造を備える。より好ましくは、図１に示す網スロープ121及び141のように、全面に網状構造を備える。側面部としての網スロープ121及び141の材質は、特に限定されないが、鋼等の金属が好ましい。網スロープは、それを通過する側溝内の流れを妨げず、且つ小動物がそれを伝って登ることができる程度の網目を有するよう適宜設計することができる。
【００２９】
図１に示す実施例においては、上流側の枠体底部101a、枠体支柱部102a及びb並びに枠体頂部103aとで形成される矩形全面にわたり、上流側の側面部としての網スロープ121が設けられ、一方下流側の枠体底部101d、枠体支柱部102c及びd並びに枠体頂部103dとで形成される矩形全面にわたり、下流側の側面部としての網スロープ141が設けられている。本例では上流側と下流側とにおいて対称な形状の網スロープを設けているが、後述する好ましい別の実施例において説明するように、上流側と下流側とで非対称な構造とすることもできる。また、本発明の這い上がり装置は、上流側及び下流側のどちらか一方のみに側面部を有していてもよい。
【００３０】
図１に示す実施例において網スロープ121及び141として設けられている側面部は、前記側溝の長手方向に対向し、その少なくとも一面が傾斜し小動物が側溝内腔部から上面部へと昇降移動可能である角度で設けられる。具体的には、上流側網スロープ121を設ける面は、流れ方向Dに垂直な面の上部を流れ方向に倒して傾斜させた面又はその面に略平行な面とすることができ、下流側網スロープ141を設ける面は、流れ方向Dに垂直な面の上部を流れ方向と反対の方向に倒して傾斜させた面又はその面に略平行な面とすることができる。このような傾斜とすることにより、小動物の脱出が容易となり、且つ網スロープへのゴミ等の蓄積を軽減することができる。傾斜の角度は、脱出補助対象の小動物の登坂力並びに枠の形状及び寸法等により適宜設定することができる。側面部は、本実施例において平面であるが、本発明の効果を損ねない限りにおいて湾曲及び/又は折れ曲がりを有していてもよい。
【００３１】
網スロープ121及び141は、その上端が本装置の上面部に達するように設けることができる。これにより、網スロープを伝わり頂部まで移動した小動物が、頂部を通り側溝外へ脱出することを容易にすることができる。ここで、網スロープが上面部に「達する」とは、本装置の最も高い位置に網スロープが接している場合のみならず、小動物の脱出を妨げない限りにおいて、本装置の最も高い位置より若干低い場所まで達している場合をも含む。より具体的には例えば、網スロープ121及び141は、頂板105と接する状態で設けられてもよく、頂板105との間に、小動物の脱出を妨げない程度の若干の隙間を有して設けられてもよい。
【００３２】
図１において示される実施例においては、本装置の上面部は、頂板105によって形成される。上面部は、小動物が移動可能な態様で設けられる。具体的には例えば、図１に示す実施例の通り頂部枠103a〜103dにより構成される矩形の全面にわたって頂板105を設けてもよく、その一部にわたって設けてもよい。側面部を伝って登ってきた小動物の脱出経路を確保するために、少なくとも側面部の上部と接し、且つ側溝内腔に設けた際に側溝の淵部分に近接する部分（枠体頂部103b及び103cの辺に対応する部分）にわたるよう頂板を設けることが好ましい。また、側溝の淵部分に近接する両側部分を連結するように、即ち枠体頂部103bの辺に対応する部分と103cの辺に対応する部分とを連結するように頂板105を設けると、側溝により生態系が分断されるのを回避することができるためさらに好ましい。
【００３３】
頂板105の材質は、特に限定されないが、比重及び強度を確保する観点から鋼等の金属及び／又はコンクリート製であることが好ましい。また、その上の小動物の歩行を容易とするため、頂板105は、側溝の蓋として用いられる、いわゆる「グレイチング」と呼ばれる目の粗い網目よりは、網スロープと同程度以上に細かい網目の材質、又は孔の無い平板とすることが好ましい。
【００３４】
図２に示すように、装置100は、好ましくは、前記側溝280内に設置した際に、頂板105により構成される上面部が側溝上部近辺に位置する高さを有する。具体的には、側溝280の上部の辺282と、頂板105の上面とが同一の高さとなることが好ましく、また頂板105の側部の縁105b及び105cが側溝内側に接することが好ましい。しかしながら、脱出補助対象の小動物の通過を妨げない限りにおいて、側溝上部辺282と頂板105上面との高さが異なっていてもよく、縁105b及び105cと側溝内側との間に隙間があってもよい。
【実施例２】
【００３５】
図３は、本発明にかかる這い上がり装置の別の実施例を示す。以下の実施例においては、実施例１と共通する部材については説明を省略する。図３に示す装置300においては、上流側及び下流側にそれぞれ２枚の網スロープが分割されて設けられ(321a,b及び341a,b)、それにより各側の網スロープ間に隙間329及び349が形成される。このように、網スロープの面の一部に隙間を設けることにより、這い上がり装置を側溝内に配置した際に、側溝を流れる流体の一部のみが側面部を通過するようにすることができる。これにより、開放された流路が得られ、ゴミなどの、側溝内の流れ中に含まれる固形物が溜まりにくくなり、流れの阻害を低減することができる。
【実施例３】
【００３６】
図４は、本発明にかかる這い上がり装置のさらに別の実施例を示す。図４に示す装置400においては、側面部を構成する下流側可動網スロープ441a及び441bのそれぞれが、蝶番442a及び442bにより揺動可能に連結されている。これにより、ゴミ等の、側溝内の流れ中に含まれる固形物が溜まり、流れにより可動網スロープにかかる負荷が大きくなると、可動網スロープが開放され、ゴミ等が流下されることになる。これにより、流れの阻害をさらに低減することができる。蝶番の具体的な構造は特に限定されず、市販品の蝶番でもよく、単に針金様の部材で形成された輪又はらせん等であってもよい。
【００３７】
可動網スロープ441a及び441bは、必要に応じて、バネ（図示せず）等の付勢部材によって付勢されていてもよい。具体的には例えば、可動網スロープが閉じる方向に付勢することにより、側溝内の流れにより容易にスロープが開かないようにし、流れの多い場合であっても小動物の脱出を容易にすることができる。また逆に、可動網スロープが開く方向に付勢することにより、可動網スロープが重く開きにくい場合であっても、そこに付着したゴミ等の固形物が流れ易いようにすることができる。バネは、例えばらせん状の構造を有するなどして、蝶番を兼ねたものであってもよい。
【実施例４】
【００３８】
図５は、本発明にかかる這い上がり装置のさらに別の実施例を示す。図５に示す装置500においては、上流側網スロープ521a及び521b、並びに蝶番542a及び542bで枠に連結された下流側可動網スロープ541a及び541bのいずれもが、装置500の底部にまで達しておらず、水平方向に延長するステップ523及び543の一方の端部に接するよう設けられている。ステップ523及び543の他方の端部には、ステップの下方に延長し網状構造を備える下部スロープ524及び544が接するよう設けられている。即ち装置500は、網スロープの下方にさらに下部スロープを有し、これらがステップによりつながり、装置底部から頂部までのステップ付きのスロープを形成している。
【００３９】
装置500においては、上部の網スロープ部分においては隙間529及び549が設けられる一方、下部スロープ524及び544にはそのような隙間に相当するものを設けず、その周囲の枠で囲まれる矩形全面にわたり下部スロープを設けている。このような構成とすることにより、側溝内の流れがステップより低い場合は流れの全面を下部スロープがカバーすることになり、小動物の脱出の効率が向上する。さらに、下部スロープ524、544を伝わりステップにまで小動物が一旦登坂した後で、さらに網スロープ521、541を登坂することになり、小動物の脱出がより容易になる。
【００４０】
下流側下部スロープ544は、下流側網スロープ541と同様に、必要に応じて、図５に示す通り蝶番及び／又はバネ552を介して揺動可能に設け、ゴミ等の流下を容易とすることができる。
【００４１】
さらに装置500には、下部スロープ524及び544付近へのゴミの蓄積を防ぐ目的で、側面ゴミ除け網525a,b及び545a,b並びに背面ゴミ除け網526及び546が設けられている。これらは装置500においては固定された態様で設けられているが、これらも下部スロープ544と同様に、必要に応じて蝶番及び／又はバネを介して揺動可能に設け、ゴミ等の流下を可能とすることができる。
【００４２】
装置500においては各スロープを２段とし、その間にステップを１つ設けているが、必要に応じて３段以上のスロープとし、その間に２つ以上のステップを設けることもできる。
【００４３】
本発明の這い上がり装置は、前記上面部、支持体及び側面部等の構成要素に加え、他の構成要素を備えることができる。具体的には例えば、這い上がり装置を側溝中に係留又は固定するための構造、さび止めのための保護膜等を備えることができる。
【００４４】
本発明の這い上がり装置による脱出補助の対象となる小動物は、側溝から自力で脱出することが困難若しくは不可能である動物であれば特に限定されず、ヘビ、カエル、カメ、トカゲ、サンショウウオ、沢蟹、ネズミ、リス、犬、猫、猿、タヌキ、キツネ、ウサギ、昆虫等の小動物とすることができる。対象動物の大きさ、登坂能力等に応じ、前記側面部の角度や網目の粗さ等を適宜調節することができる。
【産業上の利用可能性】
【００４５】
以上のように、本発明にかかる這い上がり装置は、側溝内からの小動物の脱出を補助するのに有用であり、特に、既設の側溝にそのような小動物の脱出を補助する手段を設けるのに適している。
【図面の簡単な説明】
【００４６】
【図１】本発明の這い上がり装置の一例を示す斜視図である。
【図２】本発明の這い上がり装置と側溝との関係を示す側面図である。
【図３】本発明の這い上がり装置の別の一例を示す斜視図である。
【図４】本発明の這い上がり装置のさらに別の一例を示す斜視図である。
【図５】本発明の這い上がり装置のさらに別の一例を示す斜視図である。
【符号の説明】
【００４７】
D  流れ方向
100,300,400,500  這い上がり装置
101a〜d  枠体底部(支持体)
102a〜d  枠体支柱部(支持体)
103a〜d  枠体頂部(支持体)
105  頂板(上面部)
105b,c  頂板側部の縁
121、321a,b、521a,b  上流側網スロープ(側面部)
141、341a,b  下流側網スロープ(側面部)
441a,b、541a,b  下流側可動網スロープ(側面部)
442a,b、542a,b、552  蝶番（バネ）
280  側溝
282  側溝上部辺
329、349、529、549  隙間
523、543  ステップ
524、544  下部スロープ
525a,b、545a,b  側面ゴミ除け網
526,546  背面ゴミ除け網
【図１】
2005256363.tif 000003
【図２】
2005256363.tif 000004
【図３】
2005256363.tif 000005
【図４】
2005256363.tif 000006
【図５】
2005256363.tif 000007